(57)【要約】【課題】有底筒状体のスライダー内に挿填されている固形糊後端部分をも有効に利用することができる固形糊繰出用容器を提供する。【解決手段】有底筒状体のスライダー７における筒部８ｂの周回りに複数の輪状の薄肉層１０を設け、これにより、上下方向に複数段に形成された輪状の厚肉層１１の各段に、筒部８ｂを剥ぎ取るための指掛け部１２を設け、この指掛け部１２を引張ることにより、前記薄肉層１０部分を切り離し、筒部８ｂの上端から、順次筒部８ｂを千切り取りうるようにした固形糊繰出用容器とする。【選択図】図２
2007105920.tif 000002
【特許請求の範囲】
【請求項１】
本体筒の一端に装着された尾栓の回動により、尾栓と一体に形成されたねじ杆を本体筒内で回動させることによって、ねじ杆との螺合と、本体筒内周面に軸線方向に設けた案内突条による案内とによって、本体筒内で昇降させるようにしたスライダーを備え、このスライダー内に柱状の固形糊の後端を挿填させて、本体筒より固形糊の前端を出没自在とした固形糊繰出用容器であって、
前記スライダーを、有底筒状体の底板中央に、ねじ杆と螺合する雌ねじ筒を設けて形成するとともに、スライダーにおける筒部の周回りに、渦巻状、あるいは複数の輪状の薄肉層を設けることにより、この薄肉層部分を切り離し、筒部の上端から、順次筒部の一部を千切り取りうるようにし、もって、前記固形糊におけるスライダー内に挿填されている後端周面部を、露出させうるようにしたことを特徴とする固形糊繰出用容器。
【請求項２】
スライダーにおける筒部の周回りに複数の輪状の薄肉層を設け、これにより、上下方向に複数段に形成された輪状の厚肉層の各段に、筒部を千切り取るための指掛け部を設けたことを特徴とする請求項１記載の固形糊繰出用容器。
【請求項３】
指掛け部の基部から、筒状体の軸心に向けて、各段の厚肉層に、上下方向の切り込みを設けることにより、上下方向の薄肉切取部を形成したことを特徴とする請求項２記載の固形糊繰出用容器。
【請求項４】
スライダーにおける筒部に周回りに渦巻状に薄肉層を設け、これにより形成された渦巻状の厚肉層の上端に、筒部を千切り取るための指掛け部を設けたことを特徴とする請求項１記載の固形糊繰出用容器。
【請求項５】
指掛け部の基部から、筒状体の軸心に向けて、渦巻状の厚肉層の一周毎に、上下方向の切り込みを設けることにより、上下方向の薄肉切取部を形成したことを特徴とする請求項４記載の固形糊繰出用容器。
【発明の詳細な説明】
【技術分野】
【０００１】
本発明は、固形糊繰出用容器に関する。
【背景技術】
【０００２】
固形糊繰出用容器においては、たとえば、特許文献１〜３等に記載されているように、有底筒状のスライダーが多用されている。しかし、このような有底筒状のスライダーは、固形糊の全長のうち、通常、１５％前後の後端部分が、スライダー内に挿填されているため、この挿填された固形糊部分は、接着に有効に用いることができず、無駄になっている。
【特許文献１】特開平１１−５９０８０号公報
【特許文献２】特公平８−５５０２号公報
【特許文献３】実用新案登録第２５３４９４３号公報
【発明の開示】
【発明が解決しようとする課題】
【０００３】
本発明は、上記の問題点に鑑み、有底筒状体のスライダーでありながら、スライダー内に挿填されている固形糊後端部分をも有効に利用することができるようにしたスライダーを備える固形糊繰出用容器を提供することを目的とする。
【課題を解決するための手段】
【０００４】
上記課題は、特許請求の範囲における各請求項に示すように、下記の構成を備える発明によって解決される。
(１)  本体筒の一端に装着された尾栓の回動により、尾栓と一体に形成されたねじ杆を本体筒内で回動させることによって、ねじ杆との螺合と、本体筒内周面に軸線方向に設けた案内突条による案内とによって、本体筒内で昇降させるようにしたスライダーを備え、このスライダー内に柱状の固形糊の後端を挿填させて、本体筒より固形糊の前端を出没自在とした固形糊繰出用容器であって、前記スライダーを、有底筒状体の底板中央に、ねじ杆と螺合する雌ねじ筒を設けて形成するとともに、スライダーにおける筒部の周回りに、渦巻状、あるいは複数の輪状の薄肉層を設けることにより、この薄肉層部分を切り離し、筒部の上端から、順次筒部の一部を千切り取りうるようにし、もって、前記固形糊におけるスライダー内に挿填されている後端周面部を、露出させうるようにした固形糊繰出用容器とする。
【０００５】
(２)  上記(１)項において、スライダーにおける筒部の周回りに複数の輪状の薄肉層を設け、これにより、上下方向に複数段に形成された輪状の厚肉層の各段に、筒部を千切り取るための指掛け部を設ける。
【０００６】
(３)  上記(２)項において、指掛け部の基部から、筒状体の軸心に向けて、各段の厚肉層に、上下方向の切り込みを設けることにより、上下方向の薄肉切取部を形成する。
【０００７】
(４)  上記(１)項において、スライダーにおける筒部に周回りに渦巻状に薄肉層を設け、これにより形成された渦巻状の厚肉層の上端に、筒部を千切り取るための指掛け部を設ける。
【０００８】
(５)  上記(４)項において、指掛け部の基部から、筒状体の軸心に向けて、渦巻状の厚肉層の一周毎に、上下方向の切り込みを設けることにより、上下方向の薄肉切取部を形成する。
【発明の効果】
【０００９】
本発明によると、次のような効果が奏せられる。
請求項１記載の発明によれば、スライダーにおける筒部の周回りに、渦巻状、あるいは複数の輪状の薄肉層が形成されているため、この薄肉層部分を切り離し、筒部の上端から、順次筒部を千切り取ることにより、固形糊のうち、スライダー内に挿填されている後端周面部が露出するため、この後端部分をも、接着に有効に利用することができる。
【００１０】
請求項２記載の発明によれば、スライダーにおける筒部の周回りに複数段に形成された厚肉層の各段に、筒部を千切り取るための指掛け部が設けられているため、この指掛け部に指先を掛けて、上段の厚肉層から下段に向けて、順次、筒部を容易に千切り取ることができる。
【００１１】
請求項３記載の発明によれば、各段の厚肉層部分に、上下方向の切り込みを設けることにより薄肉切取部が形成されているため、この薄肉切取部を切り離すことにより、各段毎に、順次、筒部を容易に千切り取ることができる。
【００１２】
請求項４記載の発明によれば、スライダーにおける筒部の周回りに渦巻状に形成された厚肉層の上端に指掛け部が設けられているため、この指掛け部に指先を掛けて、筒部の上端から下方に向けて、順次、筒部を容易に千切り取ることができる。
【００１３】
請求項５記載の発明によれば、渦巻状の厚肉層の一周毎に、上下方向の切り込みを設けることにより、薄肉切取部が形成されているため、この薄肉切取部を切り離すことにより、筒部を、上端から一周毎に、順次、剥ぎ取ることができる。
【発明を実施するための最良の形態】
【００１４】
図１は、本発明の一実施形態の固形糊繰出用容器に固形糊を収容したものを、一部破断して示す中央縦断面図、図２は、図１に示した固形糊繰出用容器におけるスライダーの拡大斜視図、図３は、図２における破線円III内の拡大図、図４は、同じく要部拡大平面図、図５は、図４におけるＶ〜Ｖ線断面図である。
【００１５】
本発明の固形糊繰出用容器(１)は、公知の固形糊繰出用容器と同様に、本体筒(２)の一端に装着された尾栓(３)の回動により、固形糊(４)の前端(4a)を、本体筒(２)の前端開口(2a)から出没自在としうるようになっている。
【００１６】
尾栓(３)と一体にねじ杆(５)が形成され、このねじ杆(５)との螺合と、本体筒(２)の内周面に軸線方向に設けられた案内突条(６)による案内とによって、スライダー(７)は、尾栓(３)の回動にともなって本体筒(２)内を昇降するようになっている。
【００１７】
スライダー(７)は、図２に示すように、有底筒状体(８)の底板(8a)の中央に、ねじ杆(５)と螺合する雌ねじ筒(９)を設けて形成されている。固形糊(４)の後端(4b)は、スライダー(７)内に挿填されており（図１参照）、尾栓(３)と一体をなすねじ杆(５)の回動によるスライダー(７)の昇降にともなって、固形糊(４)の前端(4a)を、本体筒(２)の前端開口(2a)から出没させうるようになっている。スライダー(７)における筒部(8b)の外周には、周回りに複数の輪状の薄肉層(10)が設けられ、これにより、輪状の厚肉層(11)が、上下方向に複数段形成されている。
【００１８】
各段の厚肉層(11)には、これを千切り取るための指掛け部(12)が設けられている。図３〜図５に示すように、各指掛け部(12)の基部(12a)から、筒状体(８)の軸心に向けて、各段の厚肉層(11)に、薄肉層(10)に達する上下方向の切り込み(13)を設けることにより、上下方向の薄肉切取部(14)が形成されている。
【００１９】
図６は、スライダー(７)の筒部(8b)の厚肉層(10)を、千切り取るときの状態を示す斜視図である。図６に示すように、親指(15)と人差指(16)とで、最上段の厚肉層(11)における指掛け部(12)を把持して、外方へ引張ることにより、指掛け部(12)の基部(12a)から、筒状体(８)の軸心に向く上下方向の切り込み(13)によって形成された薄肉切取部(14)の部分が切り離されるとともに、上下段の厚肉層(11)(11)間の薄肉層(10)の部分が切り離されて、最上段の厚肉層(11)が引き千切られる。
【００２０】
以下、同様にして、下段の厚肉層(11)を順次引き千切ることにより、スライダー(７)内に挿填されていた固形糊(４)の後端(4b)の周面部を露出させて、接着に供することができる。
【００２１】
図７は、第２実施形態のスライダー(17)の斜視図、図８は、図７における破線円VIII内の拡大図である。
【００２２】
図７に示すように、スライダー(17)は、有底筒状体(18)の底板(18a)の中央に、ねじ杆(５)と螺合する雌ねじ筒(19)を設けて形成されている。
【００２３】
スライダー(17)の筒部(18b)外周には、周回りの渦巻状の薄肉層(20)が設けられ、これにより、同じく渦巻状の厚肉層(21)が形成されている。渦巻状の厚肉層(21)の上端には、筒部(18b)を千切り取るための指掛け部(22)が設けられている。
【００２４】
指掛け部(22)の基部(22a)から、筒状体(18)の軸心に向けて、渦巻状の厚肉層(21)の一周毎に、上下方向の切り込み(23)を設けることにより、上下方向の薄肉切取部(24)が形成されている。
【００２５】
図９は、図７に示すスライダー(17)の筒部(18b)を千切り取るときの状態を示す斜視図である。
【００２６】
図９に示すように、親指(25)と人差指(26)とで、手掛け部(22)を把持して引張ることにより、指掛け部(22)の基部(22a)から、筒状体(18)の軸心に向く上下方向の切り込み(13)によって形成された薄肉切取部(24)の部分が切り離されるとともに、渦巻状の薄肉層(20)の部分が切り離されて、厚肉層(21)の一部が千切り取られる。
【００２７】
薄肉切取部(24)は、渦巻状の厚肉層(21)の一周毎に形成されているため、上方から所望の厚肉層(21)の部分だけを剥ぎ取り、スライダー(17)内に装填されていた、固形糊(27)の後端の周面部を露出させて、接着に供することができる。
【図面の簡単な説明】
【００２８】
【図１】本発明の一実施形態の固形糊繰出用容器に固形糊を収容したものを一部破断して示す中央縦断面図である。
【図２】図１に示した固形糊繰出用容器におけるスライダーの拡大斜視図である。
【図３】図２における破線円III内の要部拡大図である。
【図４】同じく、要部拡大平面図である。
【図５】図４におけるＶ〜Ｖ線断面図である。
【図６】スライダーの筒部を、剥ぎ取るときの状態を示す斜視図である。
【図７】第２実施形態のスライダーの斜視図である。
【図８】図７における破線円VIII内の要部拡大図である。
【図９】図７に示すスライダーの筒部を剥ぎ取るときの状態を示す斜視図である。
【符号の説明】
【００２９】
(１)固形糊繰出用容器
(２)本体筒
(2a)前端開口
(３)尾栓
(４)固形糊
(4a)前端
(4b)後端
(５)ねじ杆
(６)案内突条
(７)スライダー
(８)有底筒状体
(8a)底板
(8b)筒部
(９)雌ねじ筒
(10)薄肉層
(11)厚肉層
(12)指掛け部
(12a)基部
(13)切り込み
(14)薄肉切取部
(15)親指
(16)人差指
(17)スライダー
(18)有底筒状体
(18a)底板
(18b)筒部
(19)雌ねじ筒
(20)薄肉層
(21)厚肉層
(22)指掛け部
(22a)基部
(23)切り込み
(24)薄肉切取部
(25)親指
(26)人差指
(27)固形糊
【図１】
2007105920.tif 000003
【図２】
2007105920.tif 000004
【図３】
2007105920.tif 000005
【図４】
2007105920.tif 000006
【図５】
2007105920.tif 000007
【図６】
2007105920.tif 000008
【図７】
2007105920.tif 000009
【図８】
2007105920.tif 000010
【図９】
2007105920.tif 000011